(57)【特許請求の範囲】
【請求項１】
放射性セシウムを含有する土壌を除染する放射性セシウム含有土壌の処理方法であって、
前記土壌を重液によって異なる比重の複数種の土壌に分離する比重分離工程と、
前記比重分離された土壌に含まれるセシウムを除去するセシウム除去工程と
を備え、
前記重液は、アセトン及びブロモホルムから選ばれる１種以上であることを特徴とする放射性セシウム含有土壌の処理方法。
【請求項２】
前記セシウム除去工程において、前記比重分離された土壌を溶離液と接触させて、前記土壌に含まれるセシウムを前記溶離液中に溶離させて除去すること特徴とする請求項１記載の放射性セシウム含有土壌の処理方法。
【請求項３】
さらに、前記比重分離工程において比重分離された前記土壌を洗浄する洗浄工程を備え、
前記洗浄された前記土壌を前記セシウム除去工程に供することを特徴とする請求項１又は２記載の放射性セシウム含有土壌の処理方法。
【請求項４】
前記比重分離された土壌のうち、放射性セシウム濃度の高い所定の比重の土壌を選択して前記セシウム除去工程に供することを特徴とする請求項１乃至３のいずれか１項記載の放射性セシウム含有土壌の処理方法。
【請求項５】
さらに、前記土壌を粒径の異なる複数種の土壌に分級する分級工程を備え、
前記分級された土壌を前記比重分離工程に供することを特徴とする請求項１乃至４のいずれか１項記載の放射性セシウム含有土壌の処理方法。
【請求項６】
前記分級された土壌のうち、放射性セシウム濃度の高い所定の比重の土壌を選択して前記比重分離工程に供することを特徴とする請求項５記載の放射性セシウム含有土壌の処理方法。
【発明の詳細な説明】
【技術分野】
【０００１】
本発明は、放射性セシウムを含有した土壌の処理方法に関する。
【背景技術】
【０００２】
原子力発電所において大規模な事故が発生した場合、大量の放射性核種が飛散し、環境汚染を引き起こすことが懸念される。この環境汚染は、土壌、樹木、建築物、建造物、海洋、湖沼水等の広い範囲にわたる。
【０００３】
汚染された土壌に含有される放射性核種の大部分は、１３４Ｃｓ、１３７Ｃｓ、９０Ｓｒであり、特に１３７Ｃｓは半減期が３０．２年と長く、長期に影響を及ぼすことが想定される。そのため、放射性セシウムを含有した土壌、建築物、建造物、汚泥及び焼却灰等から、放射性セシウムを除去する技術の確立が模索されている。
【０００４】
このような放射性セシウムの除去に関しては、いくつかの提案がなされている。例えば、セシウムの付着した土壌に、硝酸、硫酸、塩酸、酢酸、アンモニウムなどの水溶液を加えて撹拌して混合物を得て、得られた混合物を６０〜９０℃で１〜６時間保持して脱離処理する方法が提案されている（例えば、特許文献１参照。）。
【０００５】
また、汚染土壌を除染し、除去物と処理土に分離する除染工程と、汚染土壌を、汚染土壌に混入した植物と、植物が除去された植物除去土に分離する植物除去工程を含む土壌除染方法が提案されている。当該土壌除染方法では、植物除去工程に先立ち、汚染土壌を水と混合して一次混合物を得て、得られた一次混合物を湿式分級する工程を行うことも提案されている（例えば、特許文献２参照。）。
【０００６】
また、汚染土壌に対して水による洗浄及び振動を加えながらスクリーニングを行うことで、複数のサイズにふるい分けを行う工程と、その後、最小サイズの土壌成分と洗浄時に生じた排水を混合させ、土壌成分を沈殿させる工程を有する汚染物質分離除去方法が知られている（例えば、特許文献３参照。）。
【０００７】
しかしながら、上記した方法では、いずれも、例えば土性の異なる土壌について、除染効率が異なる場合があり、十分な除染ができないことが懸念される。また、十分な除染ができないことで、廃棄物発生量が増大するおそれがあるという課題がある。
【先行技術文献】
【特許文献】
【０００８】
【特許文献１】特開２０１３−８８３６２号公報
【特許文献２】特開２０１３−１７８１７７号公報
【特許文献３】特許第４９７０６２７号明細書
【発明の概要】
【発明が解決しようとする課題】
【０００９】
本発明は、上記した課題を解消するためになされたものであって、除染効率を向上させるとともに、廃棄物発生量を低減することのできる放射性セシウム含有土壌の処理方法を提供することを目的とする。
【課題を解決するための手段】
【００１０】
本発明の放射性セシウム含有土壌の処理方法の一態様は、放射性セシウムを含有する土壌を除染する放射性セシウム含有土壌の処理方法であって、前記土壌を重液によって異なる比重の複数種の土壌に分離する比重分離工程と、前記比重分離された土壌に含まれるセシウムを除去するセシウム除去工程とを備えることを特徴とする。
【発明の効果】
【００１１】
本発明によれば、除染効率を向上させるとともに、廃棄物発生量を低減することのできる放射性セシウム含有土壌の処理方法を提供することができる。
【図面の簡単な説明】
【００１２】
【図１】実施形態の放射性セシウム含有土壌の処理方法を概略的に示すフロー図。
【図２】重液で比重分離した土壌の、比重と放射性セシウム濃度分布の関係を示すグラフ。
【図３】比重分離した土壌について、シュウ酸を用いた溶離処理を行った際の、比重と放射性セシウム除去率の関係を示すグラフ。
【図４】湿式分級した土壌の、粒径と放射性セシウム濃度の関係を示すグラフ。
【図５】粒径２μｍ未満の土壌を重液で比重分離した際の、比重と放射性セシウム濃度の関係を示すグラフ。
【図６】粒径２μｍ未満の土壌を重液で比重分離後、シュウ酸水溶液による溶離処理を行った際の、比重と、放射性セシウム除去率及び放射性セシウム濃度の関係を示すグラフ。
【発明を実施するための形態】
【００１３】
図１は、本実施形態における放射性セシウム含有土壌の処理方法を概略的に示すフロー図である。本実施形態における放射性セシウム含有土壌の処理方法は、放射性セシウムを含有する土壌Ｓ中のセシウムを除去して除染する方法である。土壌Ｓは、汚泥、砂等を含んでいてもよい。
【００１４】
図１に示す放射性セシウム含有土壌の処理方法は、放射性セシウムを含有する土壌Ｓを、重液を用いて比重で分離する比重分離工程Ｓ１と、比重分離された土壌Ｓに含まれるセシウムを除去するセシウム除去工程Ｓ２とを備えている。また、図１に示す放射性セシウム含有土壌の処理方法は、比重分離工程Ｓ１の前に、土壌Ｓを複数の粒径の土壌に分級する分級工程Ｓ３を備えている。ここで、分級工程Ｓ３は必須ではなく、必要に応じて行えばよい。
【００１５】
本実施形態の放射性セシウム含有土壌の処理方法においては、比重分離工程Ｓ１で、重液Ｌを用いて土壌Ｓを比重の異なる複数の種類の土壌に分離する。
【００１６】
重液Ｌとしては、土壌Ｓを比重分離できるものであれば、特に制限なく用いることができる。重液Ｌとしては、有機液体、塩類の溶液等、公知のものを用いることができる。重液Ｌとして用いられる有機液体としては、例えば、アセトン、ブロモホルム、ジブロモメタン（ＣＨ２Ｂｒ２）、テトラブロモエタン（Ｂｒ２ＣＨＣＨＢｒ２）、ヨウ化メチル（ＣＨ３Ｉ）、ヨウ化メチレン（ＣＨ２Ｉ２）、四臭化炭素（ＣＢｒ４）などが挙げられる。
【００１７】
重液Ｌとして塩類の溶液を用いる場合、溶媒は、塩類を溶解させるものであれば特に限定されず、エタノール、アセトン、ベンゼン、四塩化炭素、クロロホルム等の有機溶媒、水等を用いることができる。塩類の溶液としては、四塩化スズ（ＳｎＣｌ４）、六フッ化モリブデン（ＭｏＦ６）、塩化アンチモン（ＳｂＣｌ３）、四臭化バリウム水銀（ＢａＨｇＢｒ４）、四臭化スズ（ＳｎＢｒ４）、フッ化タングステン（ＷＦ６）、ヨウ化スズ（ＳｎＩ４）、四酸化オスミウム（ＯｓＯ４）、マロン酸タリウム、ギ酸タリウム（ＨＣＯ２Ｔｌ）、ポリタングステン酸ナトリウム（ＳＰＴ）、ヘテロポリタングステン酸リチウム（ＬＳＴ）、メタタングステン酸リチウム（ＬＭＴ）等の溶液、ツーレ液（Ｋ２ＨｇＩ４の水溶液）、クレリチ溶液（ギ酸タリウムとマロン酸タリウムの混合水溶液）、クライン液（Ｃｄ（ＯＨ）２・Ｂ２Ｏ３・９ＷＯの水溶液）等が挙げられる。
【００１８】
重液Ｌとしては、上記したなかでも、入手のし易さ、廃棄物発生量低減の観点から、アセトン、ブロモホルムを用いることが好ましい。
【００１９】
重液Ｌを用いた比重分離は、具体的に例えば、次のように行うことができる。土壌Ｓに重液Ｌを添加して、混合し、重液Ｌ中に土壌Ｓを分散させる。この際の、重液Ｌと土壌Ｓの液固比（重液Ｌ（ｍＬ）／土壌Ｓ（ｇ））は、例えば６０ｍＬ／ｇ以上程度であることが好ましく、３０ｍＬ／ｇ以上程度であってもよい。その後、重液Ｌを静置して、重液Ｌの比重以上の比重の土壌Ｓからなる沈殿物と、重液Ｌよりも比重の小さい土壌Ｓを含む上澄み液に分離する。その後、必要に応じてフィルタ等によって沈殿物である土壌Ｓから重液Ｌを取り除く。また、同様に、必要に応じてフィルタ等を用い、上澄み液中に含まれる土壌Ｓを重液Ｌと分離する。これにより、比重の異なる２種類の土壌Ｓに分離することができる。さらに、比重の異なる複数の重液Ｌを用い、上記と同様に、各重液Ｌについて重液Ｌと土壌Ｓの混合、沈殿した土壌Ｓと上澄み液に含まれる土壌Ｓの分離、分離した土壌Ｓからの重液Ｌの除去、の操作を繰り返すことで、比重の異なる複数種の土壌Ｓに分離することができる。
【００２０】
重液Ｌの比重は、比重分離対象である土壌Ｓの比重によって適宜選択することができる。重液Ｌの比重としては例えば、処理対象である土壌Ｓ全体の比重を略中心として２種類以上の比重、好ましくは４種類以上、より好ましくは５種類以上の比重を選択することができる。具体的に例えば、比重２．０ｇ／ｍＬを中心とした場合、比重１．７ｇ／ｍＬ、１．８ｇ／ｍＬ、１．９ｇ／ｍＬ、２．０ｇ／ｍＬ、２．３ｇ／ｍＬ等、０．１〜０．３ｇ／ｍＬ刻みの比重の重液Ｌを用いることができる。なお、重液Ｌの比重の調節は、２種以上の重液Ｌを混合して行うことができる。また、重液Ｌとして塩類の溶液を用いる場合、その濃度を変更して、重液Ｌの比重を調節することができる。
【００２１】
上記で比重分離された土壌Ｓは、各比重によって、土壌Ｓ中の放射性セシウム濃度が異なる。そのため、比重分離された土壌Ｓは、放射性セシウム濃度が高い土壌Ｓと低い土壌Ｓに分類することができる。したがって、例えば、放射性セシウム濃度が通常廃棄物として処理できる濃度（例えば、８０００Ｂｑ／ｋｇ以下）である土壌Ｓを除いて、続くセシウム除去工程Ｓ２を行うことができ、これにより、土壌Ｓの処理を効率的に行うことができる。
【００２２】
また、比重分離によって分離された土壌Ｓのうち放射性セシウム濃度が低い土壌Ｓはセシウムが除去され易く、放射性セシウム濃度が高い土壌Ｓは、セシウムが除去され難い傾向がある。したがって、セシウムの除去され難い、放射線セシウム濃度の高い土壌Ｓを取り除いた後に、放射性セシウム濃度が低い土壌Ｓに対して続くセシウム除去工程Ｓ２を行うことで、放射性セシウムの除去を効率的に行うことができる。
【００２３】
なお、比重の異なる土壌Ｓにおいて、放射性セシウム濃度及びセシウムの除去され易さが異なるのは、次のような理由によると考えられる。土壌Ｓは、例えば、Ｓｉ、Ａｌ、Ｆｅ、Ｃａ、Ｎａ、Ｋ、Ｍｇ及び残部からなる。これらの元素は酸化物や所定の塩として土壌Ｓ中に存在するのが通常であり、上記残部には、動植物が作り出した有機物等が含まれる。土壌Ｓは、例えば上記した元素の酸化物で構成される積層構造を有しており、セシウムの多くはこの積層構造の中に取り込まれた形で存在している。比重の異なる土壌Ｓでは、土性が異なり、そのために土壌Ｓを構成する成分の種類や構成、土壌Ｓの構造等が異なる。これにより土壌Ｓに取り込まれるセシウムの量や、土壌Ｓ中に取り込まれたセシウムの除去され易さが異なると考えられる。
【００２４】
比重分離工程Ｓ１の後、必要に応じて、比重分離された土壌Ｓを洗浄する洗浄工程を行ってもよい。洗浄工程は、土壌Ｓを洗浄液に混合して洗浄した後、土壌Ｓから洗浄液を除去することで行うことができる。洗浄液としては、エタノール、アセトン、ベンゼン、四塩化炭素、クロロホルム等の有機溶媒、水等を用いることができる。洗浄液としては、廃棄物発生量の低減の点から、重液Ｌの溶媒と同じ有機溶媒又は水を用いることが好ましく、これらの中でも水を用いることが特に好ましい。
【００２５】
また、比重分離工程Ｓ１の前に、分級工程Ｓ３を行ってもよい。分級工程Ｓ３では、湿式分級などによって、土壌Ｓを複数の粒径の土壌Ｓに分級する。このように複数の粒径に分級された土壌Ｓは、粒径によって放射性セシウム濃度が異なる。したがって、放射性セシウム濃度の高い土壌Ｓと放射性セシウム濃度の低い土壌Ｓに選別することができる。そのため、放射性セシウム濃度の低い土壌Ｓ、例えば、通常廃棄物として処理できる放射性セシウム濃度の土壌Ｓを除いて、比重分離工程Ｓ１及びセシウム除去工程Ｓ２を行うことができ、これにより、土壌Ｓの除染を効率的に行うことができる。
【００２６】
次いで、セシウム除去工程Ｓ２において、比重分離された土壌Ｓに含まれるセシウムを除去することで除染する。セシウムを除去する方法としては、土壌Ｓの放射性セシウム濃度を例えば、通常廃棄物として処理できる濃度にまで低減できる方法であれば特に限定されない。
【００２７】
セシウム除去工程Ｓ２における土壌Ｓ中のセシウムの除去は、例えば、次のように、溶離液を用いて行うことができる。先ず、セシウムを含有する土壌Ｓを、溶離液に浸漬する。この際の溶離液の量は、溶離を促進する観点から、溶離液（ｍＬ）／土壌Ｓ（ｇ）で示される液固比で５０（ｍＬ／ｇ）以上であることが好ましい。次いで、溶離液を必要に応じて撹拌する。これにより、土壌Ｓに含まれるセシウムを溶離液中に溶離させる。
【００２８】
溶離を行う際には、溶離液を加熱することが好ましい。加熱温度は、６０℃以上１００℃以下であることが好ましく、９０℃以上１００℃以下であることがより好ましく、９５℃程度であることが特に好ましい。これにより、溶離を促進させ、セシウムの溶離を効率的に行うことができる。
【００２９】
溶離液としては、土壌Ｓ中のセシウム成分を溶解するものであれば特に制限なく用いることができる。溶離液として、例えば、塩酸、硫酸、硝酸、シュウ酸等の酸の水溶液等を用いることができる。また、溶離液として上記した酸の塩の水溶液を用いてもよい。溶離液の濃度は、土壌Ｓの種類に応じて適宜設定することができる。また、溶離液としては、１種を単独で用いてもよく、２種以上を併用してもよい。
【００３０】
溶離液としては、上記したなかでも、溶離性能が高い点で、シュウ酸の水溶液を用いることが好ましい。溶離液としてシュウ酸水溶液を用いる場合、土壌Ｓを構成する成分を溶解させて溶離を促進する点で、その濃度は、０．０５ｍｏｌ／Ｌ以上１．０ｍｏｌ／Ｌ以下であることが好ましく、０．５ｍｏｌ／Ｌ以上１．０ｍｏｌ／Ｌ以下であることがより好ましい。
【００３１】
溶離後の土壌Ｓは、フィルタなどによって溶離液と分離する。その後、必要に応じて水等による洗浄を行う。これにより、除染された土壌Ｓを得ることができる。
【００３２】
以上、本実施形態の放射性セシウム含有土壌の処理方法によれば、放射性セシウムを含有する土壌を異なる比重の複数種の土壌に分類することで、セシウム除去処理に先立ち、処理対象の土壌を選別することができる。これにより、セシウム除去効率を向上させるとともに、廃棄物発生量を低減することができる。
【実施例】
【００３３】
（実施例１）
本実施例では、重液で比重分離した土壌中の放射性セシウム濃度分布と、比重の関係を調べた。
【００３４】
（重液の調整）
アセトンとブロモホルムを混合して次に示す各比重の重液を調整した。例えば、比重１．７ｇ／ｍＬの重液は、アセトン１１．８ｇとブロモホルム３９．２ｇを混合して調製した。その他の比重の重液についてもアセトンとブロモホルムをそれぞれ下記の各量で混合して調製した。
比重１．７ｇ／ｍＬ：アセトン１１．８ｇ、ブロモホルム３９．２ｇ
比重１．８ｇ／ｍＬ：アセトン１０．５ｇ、ブロモホルム４３．６ｇ
比重１．９ｇ／ｍＬ：アセトン９．２ｇ、ブロモホルム４７．９ｇ
比重２．０ｇ／ｍＬ：アセトン７．８ｇ、ブロモホルム５２．４ｇ
比重２．３ｇ／ｍＬ：アセトン４ｇ、ブロモホルム６９ｇ
【００３５】
（比重分離）
まず、比重１．７ｇ／ｍＬの重液３０ｍＬに、放射性セシウムを含有する土壌１ｇ（液固比３０ｍＬ／ｇ）を添加し、軽く振り混ぜた後、超音波により１分間振動を与えて撹拌した。次いで、撹拌した重液を室温で１．５時間、静置した。これにより、重液中に、重液の比重以上の比重の土壌を沈降させた。その後、重液の上澄み液を回収することで、沈降した土壌を分離した。沈降した土壌をフィルタによって重液から分離し、分離された土壌を水で洗浄した後、乾燥させた。上澄み液に含まれる土壌についても同様に、重液から分離した後、水による洗浄を行い、その後乾燥した。沈降した土壌を比重１．７ｇ／ｍＬ以上の土壌、上澄み液に含まれる土壌を比重１．７ｇ／ｍＬ未満の土壌として分類した。
【００３６】
次いで、上記で比重分離した比重１．７ｇ／ｍＬ以上の土壌に、比重１．８ｇ／ｍＬの重液３０ｍＬを加え、上記と同様の操作を行った。比重１．８ｇ／ｍＬの重液に沈降した土壌を比重１．８ｇ／ｍＬ以上の土壌、上澄み液に含まれる土壌を比重１．８ｇ／ｍＬ未満の土壌として分類した。
【００３７】
同様の操作を、上記各比重の重液を用いて、比重の小さい順に行い、土壌を、比重１．７ｇ／ｍＬ未満、比重１．７ｇ／ｍＬ以上２．０ｇ／ｍＬ未満、比重２．０ｇ／ｍＬ以上２．３ｇ／ｍＬ未満、比重２．３ｇ／ｍＬ以上の４種類の比重の土壌に分けた。
【００３８】
比重分離後、各比重の土壌中の放射性セシウム濃度を、ＮａＩ（ヨウ化ナトリウム）シンチレーション検出器を用いて測定した。測定結果を用いて、放射性セシウム濃度の分布を、各比重の土壌の放射性セシウム濃度（Ｂｑ／ｋｇ）の、全土壌の放射性セシウム濃度（Ｂｑ／ｋｇ）に対する百分率（％）によって算出した。結果を、土壌の比重を横軸、放射性セシウム濃度分布を縦軸として図２のグラフに示す
【００３９】
図２に示されるように、比重によって分離された土壌は、各比重によって、放射性セシウム濃度が異なり、放射性セシウム濃度が高い土壌（比重１．７ｇ／ｍＬ以上２．０ｇ／ｍＬ未満）と低い土壌（前記以外）があることが分かる。したがって、処理対象である土壌をサンプルリングし、比重と放射性セシウム濃度分布の関係を予め測定し、放射性セシウム濃度分布の高い土壌についてセシウム除去工程を行えば、効率的に土壌の除染を行うことができることが分かる。
【００４０】
次いで、上記で比重分離した各比重の土壌について、シュウ酸を用いた溶離処理を行い、比重と、放射性セシウム除去率の関係を調べた。
【００４１】
溶離処理は次のように行った。溶離液として０．５ｍｏｌ／Ｌのシュウ酸水溶液を用いた。シュウ酸水溶液を９５℃に加熱し、その後、土壌を、液固比５０ｍＬ／ｇとなるように添加した。約１時間、溶離液を、攪拌しながら、温度が９０℃以上に維持されるように加熱した。その後、土壌と溶離液を分離して、分離した土壌中の放射性セシウム濃度を測定した。
【００４２】
溶離前後の放射性セシウム濃度の測定結果から、放射性セシウム除去率（＝｛（溶離前の土壌中の放射性セシウム濃度−溶離後の土壌中の放射性セシウム濃度）／（溶離前の土壌中の放射性セシウム濃度）｝×１００（％））を算出した。結果を、比重を横軸、放射性セシウム除去率を縦軸として図３のグラフに示す。
【００４３】
図３より、溶離前の放射性セシウム濃度が高い土壌（比重１．７ｇ／ｍＬ以上２．０ｇ／ｍＬ未満）は、溶離によって放射性セシウムが除去され難く、溶離前の放射性セシウム濃度が低い土壌（上記以外の比重）は溶離によって放射性セシウムが除去され易いことが分かる。したがって、放射性セシウム濃度の低い土壌を取り除いた後にセシウム除去工程を行うことで、放射性セシウムの除去を効率的に行うことができることが分かる。
【００４４】
（実施例２）
放射性セシウムを含有する土壌を湿式分級し、２μｍ未満、２μｍ以上２０μｍ未満、２０μｍ以上２１２μｍ未満、２１２μｍ以上１０００μｍ未満の４種類の粒径の土壌に分級した。分級後の各粒径の土壌中の放射性セシウム濃度を、ＮａＩシンチレーション検出器を用いて測定した。結果を、粒径を横軸、放射性セシウム濃度を縦軸として、図４のグラフに示す。
【００４５】
図４より、粒径により土壌中の放射性セシウム濃度が異なることが分かった。本実施例で用いた土壌では、粒径２μｍ以上で放射性セシウム濃度が８０００Ｂｑ／ｋｇ以下となったため、粒径２μｍ以上の土壌は比重分離工程及びセシウム除去工程を行わずに通常廃棄物として処理することができることが分かる。
【００４６】
粒径２μｍ未満の土壌では、８０００Ｂｑ／ｋｇを超えたため、比重分離工程及び溶離液（シュウ酸水溶液）を用いたセシウム除去工程を行った。比重分離工程において、重液は、アセトンとブロモホルムを混合することで、比重１．７ｇ／ｍｌから２．０ｇ／ｍＬまで０．１ｍｇ／ｍＬ刻みの４種類の重液を調整した。これにより、粒径２μｍ未満の土壌を、比重１．７ｇ／ｍＬ未満、比重１．７ｇ／ｍＬ以上１．８ｇ／ｍＬ未満、比重１．８ｇ／ｍＬ以上１．９ｇ／ｍＬ未満、比重１．９ｇ／ｍＬ以上２．０ｇ／ｍＬ未満、の４種の土壌に比重分離した。
【００４７】
比重分離後、各比重の土壌について、付着した重液を水洗する洗浄工程を行い、乾燥した後、ＮａＩシンチレーション検出器を用いて各比重の土壌中の放射性セシウム濃度を測定した。その結果を、比重を横軸、放射性セシウム濃度を縦軸として図５に示す。図５より、比重が異なる土壌では、土壌中の放射性セシウム濃度が異なることが分かる。
【００４８】
次いで、各比重の土壌について、実施例１と同様に、０．５ｍｏｌ／Ｌのシュウ酸水溶液を用いて、９５℃で１時間溶離することで、セシウム除去工程を行った。溶離後の土壌について、ＮａＩシンチレーション検出器を用いて土壌中の放射性セシウム濃度を測定し、上記と同様に放射性セシウム除去率を算出した。
【００４９】
図６に、溶離後の土壌中の放射性セシウム濃度、及び放射性セシウム除去率の測定結果を、溶離後の土壌中の放射性セシウム濃度及び放射性セシウム除去率を、それぞれ縦軸、土壌の比重を横軸として示す。図６において、白四角は放射性セシウム濃度、黒丸は放射性セシウム除去率をそれぞれ示す。図６より、溶離前の放射性セシウム濃度の高い比重１．７ｇ／ｍＬ以上１．８ｇ／ｍＬ未満の土壌では放射性セシウム除去率が低く、土壌中の放射性セシウム濃度が高いが、その他の比重の土壌では、土壌中の放射性セシウム濃度を通常廃棄物として処理できる濃度（８０００Ｂｑ／Ｋｇ）以下に低減できたことが分かる。
【００５０】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
Ｌ…重液、Ｓ…土壌、Ｓ１…比重分離工程、Ｓ２…セシウム除去工程、Ｓ３…分級工程。
【図１】
0006671856.tif 000002
【図２】
0006671856.tif 000003
【図３】
0006671856.tif 000004
【図４】
0006671856.tif 000005
【図５】
0006671856.tif 000006
【図６】
0006671856.tif 000007